(57)【特許請求の範囲】
【請求項１】
化粧皿を取着した容器本体と、塗布用具収納部を設けた蓋体とからなる化粧用コンパクト容器であって、
塗布用具収納部が、蓋体に取着された蓋枠に一体に設けられた挟持部と取出し部材とを具えており、
取出し部材が、塗布用具収納部の頂壁の端縁に連設され、突出部を設けた水平板と、該水平板に連設され、端部に摘み部を設けた垂直板とからなる可撓性を有する取出板によって形成されており、
挟持部が、塗布用具収納部の頂壁の前記端縁の両側端部に連設された挟持板により形成され、
摘み部を引き上げることによって挟持板により挟持された塗布用具を取出せるようにしたことを特徴とする化粧用コンパクト容器。
【発明の詳細な説明】
【技術分野】
【０００１】
本発明は、化粧用コンパクト容器、とくに塗布用具を簡単な操作によって取出せるようにした小型の化粧用コンパクト容器に関するものである。
【背景技術】
【０００２】
名刺大の大きさの薄板状の容器本体に、化粧料の収納部と、塗布用具の収納部を設けた簡易化粧セットは、従来より知られている（特許文献１参照）。
また、種類、または色の異なる化粧料を、複数の化粧皿に収納した箱状の化粧料収納部を廻転自在に組込んだ容器本体と、化粧用小道具（塗布用具）を収納した蓋体とからなる化粧用コンパクト容器も、従来より知られている（特許文献２参照）。
【特許文献１】実開昭６３−１５３９０７号公報
【特許文献２】実開昭６３−１６６１０７号公報
【発明の開示】
【発明が解決しようとする課題】
【０００３】
しかしながら、塗布用具の収納は、特許文献１記載のものでは、収納部に設けた複数の突片によって塗布用具の把持筒が係合挟持されるようになっており、塗布用具自体は小さいものであるから、収納時には簡単に押込むことができるが、取出しは容易にできなかった。
【０００４】
また、特許文献２記載の塗布用具も、把持部の中央部、または両端が収納部に設けられた挟持部に挟持されるようになっており、取出しにあたっては、把持部の一部を摘んで取出せるが、塗布用具自体は小さいものであるから、把持部を指先で摘むことが容易にできず、塗布用具の取出しは簡単にできなかった。
【０００５】
本発明は、上記の問題を解決することを課題とし、小型の化粧用コンパクト容器において、小さい化粧用塗布用具を、その収納部から簡単に取出せるようにした取出し部材を具えた化粧用コンパクト容器を提供することを目的とする。
【課題を解決するための手段】
【０００６】
本発明は、上記の課題を解決するため、化粧用コンパクト容器として、化粧皿を取着した容器本体と、塗布用具収納部を設けた蓋体とからなる化粧用コンパクト容器であって、塗布用具収納部が、蓋体に取着された蓋枠に一体に設けられた挟持部と取出し部材とを具えており、取出し部材が、塗布用具収納部の頂壁の端縁に連設され、突出部を設けた水平板と、該水平板に連設され、端部に摘み部を設けた垂直板とからなる可撓性を有する取出板によって形成されており、挟持部が、塗布用具収納部の頂壁の前記端縁の両側端部に連設された挟持板により形成され、摘み部を引き上げることによって挟持板により挟持された塗布用具を取出せるようにしたことを特徴とする構成を採用する。
【発明の効果】
【０００７】
蓋体の塗布用具収納部に、塗布用具の挟持部と取出し部材とを設けたから、塗布用具をしっかりと保持するとともに、取出し部材を引出し操作することによって、塗布用具を簡単に取出せるようにできる。
【発明を実施するための最良の形態】
【０００８】
次に、本発明の実施形態について、図面を参照して説明する。
図１、２において、Ａは容器本体、Ｂは容器本体Ａに蝶番を介して取着された蓋体、Ｃは容器本体Ａに取着された化粧料用の皿枠、Ｄは蓋体Ｂに取着された蓋枠、Ｅは塗布用具である。
【０００９】
図１〜３に示すように、容器本体Ａは、細長の底壁１と、該底壁１の周縁から上方に延びる側周壁２とからなっている。
底壁１の両端部には、化粧料用の皿枠Ｃを保持する保持リブ３が立設されており、保持リブ３の中央には、保持溝４が刻設されている。
【００１０】
側周壁２の一方の側壁２ａの上端縁に沿って、中心に軸孔５を穿孔した一対の蝶番用の軸受６が連設されており、他方の側壁２ｂの上端縁中央部には、円盤状の掛止め具７が連設されている。
掛止め具７の円周面は、側壁２ｂの長手方向中心線にほぼ接しており、当該円周面には係止片８が突設されている。
【００１１】
図１、２、４に示すように、蓋体Ｂは、頂壁１０と、該頂壁１０の周縁から下方に延び、外周形状を容器本体Ａの側周壁２上面外周と同形とした下面１１を有する側周壁１２とからなっており、下面１１より間隔をおいて、側周壁１２の内面には段部１３が設けられている。
【００１２】
側周壁１２の一方の側壁１２ａには、容器本体Ａの一対の軸受６の間に嵌挿され、両端面に軸孔１４を穿孔した蝶番用の連結片１５が連設されており、側壁１２ａの中央内面には、位置決めリブ１６が設けられている。
他方の側壁１２ｂの中央部外周には、容器本体Ａの掛止め具７と係合する係止片１７を設けた掛止め具１８が連設されている。
【００１３】
容器本体Ａの蝶番用の軸受６の軸孔５と蓋体Ｂの連結片１５の軸孔１４には、軸ピン１９が嵌挿され、軸受６と連結片１５によって蝶番機構が形成され、蓋体Ｂが容器本体Ａに取着されるようになっている。
【００１４】
図５に示すように、皿枠Ｃは、枠板２０と、側壁２１と底壁２２とからなり、共通の仕切壁２３によって区分された複数の化粧皿２４を具えている。
枠板２０の周縁には、容器本体Ａの上面に載置される段部２５が設けられており、枠板２０の両端部には、Ｔ字形の位置合わせリブ２６が垂設されている。
【００１５】
皿枠Ｃは、化粧皿２４に色の異なるアイシャドー等の化粧料を充填した後、位置合わせリブ２６を容器本体Ａの保持リブ３に係合させて位置決めし、両面接着テープやメルト接着等を介して容器本体Ａに接着される。
【００１６】
図６に示すように、蓋枠Ｄは、鏡保持部３０と、塗布用具収納部３１とを具えており、それらを囲む周縁は、枠板３２となっている。
鏡保持部３０には、枠板３２の内周縁にほぼ鏡面の厚さに相当する段部３３が設けられ、該段部３３の上部には、角形の平板３４が連設されており、該平板３４には、図１に示すように、鏡ｍが接着されている。
【００１７】
塗布用具収納部３１は、鏡保持部３０に接続して位置する収納凹部３５と、該収納凹部３５に連設された挟持部３６、および塗布用具Ｅの取出し部材３７、挟持部３６に接続する覆部３８とからなっている。
収納凹部３５は、鏡保持部３０に中央側の段部３３ａに接して立ち上がる側壁３９と、枠板３２の内周縁に沿って立ち上がる側壁４０ａ、４０ｂ、および頂壁４１とから構成されている。
【００１８】
側壁４０ｂの外周には、位置合わせリブ４２が設けられ、蓋体Ｂの位置決めリブ１６に係合して、蓋枠Ｄが逆方向に嵌合されるのを防止するようにしている。
頂壁４１には、側壁４０ａ、４０ｂの間に架設される塗布用具Ｅの支持壁４３が垂設されており、頂壁４１の支持壁４３より外側の端縁４１ａには、中央に取出し部材３７の細巾の連結板４４が連設され、該連結板４４に接続してやや広巾の取出板４５の水平板４５ａが連設されている。
【００１９】
水平板４５ａの連結板４４近くには、前記支持壁４３とほぼ同じ高さまで湾曲して隆起する山型の突出部４６が設けられており、取出板４５の端部は上方に折れ曲がり、垂直板４７となっており、垂直板４７の上端は外方に突出され、摘み部４８が形成されている。
【００２０】
取出し部材３７は、前記連結板４４と、山形の突出部４６を設けた水平板４５ａと、摘み部４８を突設した垂直板４７によって構成されている。
【００２１】
挟持部３６は、頂壁４１の端縁４１ａの両側端部に連設され、枠板３２の内周縁から切欠部４９を隔てて位置する挟持板５０ａ、５０ｂによって形成されている。
挟持板５０ａ、５０ｂは、端縁４１ａに接続する脚部５１ａと、挟持部５２、該挟持部５２に接続し、覆部３８に接続する脚部５１ｂとからなっており、挟持部５２の内面には、一対の突起５３が突設されている。
【００２２】
覆部３８は、脚部５１ｂに接続され、取出板４５を挟む細巾の頂壁５４ａ、５４ｂと、該頂壁５４ａ、５４ｂから枠板３２の内周縁に接続する側壁５５ａ、５５ｂとからなっている。
【００２３】
枠板３２の先端部３２ａには、頂壁５４ａ、５４ｂ内側端縁から延びる直線と、取出板４５の摘み部４８の端縁との間に一定の間隔をおいた直線によって切欠けられた指差入口５６が形成されており、指差入口５６を囲んで段部５７が設けられている。
指差入口５６に指先を入れ、摘み部４８を掴んで引上げると、取出板４５を引出すことができる。
【００２４】
枠板３２上面の周縁部には、全周縁に沿って凸部５８が突設され、該凸部５８には、一定間隔をおいて、超音波リブが突設され、蓋体Ｂに超音波接着することができる。
【００２５】
図１、２に示すように、塗布用具Ｅは、断面楕円形の保持杆６０と、該保持杆６０の両端から突出された連杆６１ａ、６１ｂ、および連杆６１ａ、６１ｂに支持された軟材質の素材によって形成された扁平状の塗布具６２ａ、６２ｂとからなっている。
保持杆６０は、挟持板５０ａ、５０ｂによって挟持されるとともに、突起５３によって挟持板５０ａ、５０ｂからの飛び出しや妄動が阻止され、連杆６１ｂは支持壁４３によって、連杆６１ａは取出板４５の山形の突出部４６によって支持され、塗布用具Ｅは一定の位置に保持されるようになっている。
【００２６】
次に、本発明化粧用コンパクト容器の作用効果について説明する。
本発明化粧用コンパクト容器は、アイシャドー、アイラインその他の化粧用コンパクト容器として使用される。
化粧皿２４には、色の異なるアイシャドー、その他の化粧料が充填され、蓋体Ｂの塗布用具収納部３１には、塗布用具として、スポンジ、その他軟材質の素材を用いた塗布具６２を両端に設けた塗布用具Ｅが収納される。
【００２７】
化粧用コンパクト容器は、複数の化粧皿２４を長手方向に並べた容器本体Ａと、小さな塗布用具Ｅを収納した蓋体Ｂを蝶番を介して取着しただけのものであるので、極めて小型のものであり、ハンドバック、その他の小物入れに入れても嵩張らず、携帯に便利となっている。
【００２８】
容器の使用にあたって、蓋体Ｂを開いて、塗布用具Ｅを取出す場合には、図７に示すように、塗布用具収納部３１の指差入口５６に指先を入れ、摘み部４８を外側に引出すと、取出板４５が可撓性を有するので、取出板４５の山形の突出部４６によって連杆６１が押出され、保持杆６０が挟持板５０ａ、５０ｂの突起５３から外れて塗布用具Ｅが押出される。
したがって、保持杆６０を掴んで簡単に引出せるので、塗布用具Ｅを容易に使用することができる。
【００２９】
使用後の塗布用具Ｅの収納にあたっては、保持杆６０を挟持する突起５３を押し開いて支持壁４３と突出部４６との間に挟持させるので、きわめて簡単に塗布用具収納部３１に収納できる。
【００３０】
前記実施形態では、化粧料の実施例として、アイシャドー、アイライン用の化粧料を用い、塗布用具として、両方にスポンジ等の塗布具を設けたものを用いているが、化粧料として、アイシャドー等に限定されず、化粧料の種類に応じて塗布用具を変え、一方をブラシとしてもよく、また、ブラシのみの塗布用具としてもよく、化粧料に応じて塗布用具を変更できる。
【００３１】
また、前記実施形態では、塗布用具は一つであるが、複数として、それぞれの塗布用具用の取出部材を設けるようにしてもよい。
【産業上の利用可能性】
【００３２】
化粧用コンパクト容器において、塗布用具の取出し部材を設け、指先で摘み部を引っ張り出すことによって塗布用具を簡単に取出すことができるようになり、小さい塗布用具を収納したコンパクト容器に有効である。
また、本発明は、化粧料に応じて塗布用具を変えても、その取出しが簡単であるので、種々の化粧用コンパクト容器に用いることができ、広範囲に利用できる。
【図面の簡単な説明】
【００３３】
【図１】本発明化粧用コンパクト容器の縦断面図である。
【図２】化粧用コンパクト容器開蓋時の上面図である。
【図３】容器本体の説明図で、（ａ）は縦断面図、（ｂ）は上面図、（ｃ）は図（ａ）のＡ−Ａ線における横断面図である。
【図４】蓋体の説明図で、（ａ）は縦断面図、（ｂ）は底面図、（ｃ）は図（ｂ）のＡ−Ａ線における横断面図である。
【図５】皿枠の説明図で、（ａ）は縦断面図、（ｂ）は上面図、（ｃ）は側面図である。
【図６】蓋枠の説明図で、（ａ）は縦断面図、（ｂ）は底面図、（ｃ）は図（ａ）のＡ−Ａ線における横断面図である。
【図７】塗布用具取出し時の説明図である。
【符号の説明】
【００３４】
Ａ          容器本体
Ｂ          蓋体
Ｃ          皿枠
Ｄ          蓋枠
Ｅ          塗布用具
ｍ          鏡
１          底壁
２          側周壁
１０        頂壁
１２        側周壁
２０        枠板
２１        側壁
２２        底壁
２３        仕切壁
２４        化粧皿
３０        鏡保持部
３１        塗布用具収納部
３２        枠板
３５        収納凹部
３６        挟持部
３７        取出し部材
３８        覆部
４３        支持壁
４４        連結板
４５        取出板
４５ａ      水平板
４６        突出部
４７        垂直板
４８        摘み部
４９        切欠部
５０ａ，ｂ  挟持板
５１ａ，ｂ  脚部
５２        挟持部
５３        突起
６０        保持杆
６１ａ，ｂ  連杆
６２ａ，ｂ  塗布具
【図１】
0004717372.tif 000002
【図２】
0004717372.tif 000003
【図３】
0004717372.tif 000004
【図４】
0004717372.tif 000005
【図５】
0004717372.tif 000006
【図６】
0004717372.tif 000007
【図７】
0004717372.tif 000008